(57)【要約】【課題】地震発生時のユーティリティ供給圧力値をシミュレーション可能な地震訓練用シナリオを作成可能な地震訓練シミュレーションシステムを提供する。【解決手段】ユーティリティ供給用の導管ネットワークを経由して、複数の需要者による全ユーティリティ需要量の時間変化パターンに釣り合った既定のユーティリティ供給量を、ユーティリティ供給所から前記複数の需要者へ提供しているユーティリティ供給系統において、前記ユーティリティ供給系統の複数のシミュレーション対象部位における地震発生時の供給圧力の時間的な変化データを地震訓練用に作成する地震訓練シミュレーションシステム。【選択図】　図１
2004012988.tif 000002
【特許請求の範囲】
【請求項１】
ユーティリティ供給用の導管ネットワークを経由して、複数の需要者による全ユーティリティ需要量の時間変化パターンに釣り合った既定のユーティリティ供給量を、ユーティリティ供給所から前記複数の需要者へ提供しているユーティリティ供給系統において、前記ユーティリティ供給系統の複数のシミュレーション対象部位における地震発生時の供給圧力値の時間的な変化データを地震訓練用に作成する地震訓練シミュレーションシステムであって、
地震未発生時の、前記複数の需要者による全ユーティリティ需要の第１時間変化パターンが設定された第１需要変化テーブルと、
地震の加速度の大きさまたはその相当量毎に、地震発生時の、前記複数の需要者による全ユーティリティ需要の、前記第１時間変化パターンに関して相対的な変化を表す第２時間変化パターンが設定された第２需要変化テーブルとを備え、
前記ユーティリティ供給系統における地震の加速度の大きさまたはその相当量と、地震発生時刻と、前記第１時間変化パターン中の所定時刻における全ユーティリティ需要量の値とが入力されると、
前記第１需要変化テーブルと前記第２需要変化テーブルと前記所定時刻における全ユーティリティ需要量の値を参照して、前記地震発生時刻以降の前記複数の需要者の全ユーティリティ需要量の第３時間変化パターンが設定された第３需要変化テーブルを導出し、
前記第１需要変化テーブルと前記所定時刻における全ユーティリティ需要量の値を参照して、前記地震発生時刻以降に前記ユーティリティ供給所から前記導管ネットワークに提供されるユーティリティ供給量の時間変化パターンが設定された供給量変化テーブルを導出し、
前記導管ネットワークの属性情報と、前記第３需要変化テーブルと、前記供給量変化テーブルとを参照して、前記所定のシミュレーション対象部位における供給圧力値の時間的な変化データを有するシミュレーションデータテーブルを作成する地震訓練シミュレーションシステム。
【請求項２】
前記第１需要変化テーブルが、地震未発生時の、前記複数の需要者による全ユーティリティ需要の、季節毎に設定された複数の季節別時間変化パターンが設定された季節別需要変化テーブルを備えてなり、
前記ユーティリティ供給系統における地震の加速度の大きさまたはその相当量と、地震発生時刻と、地震発生季節と、前記地震発生季節に対応する前記季節別時間変化パターン中の所定時刻における全ユーティリティ需要量の値とが入力されると、
前記季節別需要変化テーブルと前記第２需要変化テーブルと前記季節別時間変化パターン中の所定時刻における全ユーティリティ需要量の値とを参照して、前記第３需要変化テーブルを導出し、
前記季節別需要変化テーブルと前記季節別時間変化パターン中の所定時刻における全ユーティリティ需要量の値とを参照して、前記供給量変化テーブルを導出する請求項１に記載の地震訓練シミュレーションシステム。
【請求項３】
前記シミュレーション対象部位における前記供給圧力値を時系列順に出力可能な出力提示手段を備えてなる請求項１または請求項２に記載の地震訓練シミュレーションシステム。
【請求項４】
前記ユーティリティ供給量の変更値が入力されると、前記導管ネットワークの属性情報と、前記第３需要変化テーブルと、前記ユーティリティ供給量の変更値とを参照して、前記シミュレーション対象部位における変更後の供給圧力値を導出し、前記出力提示手段において出力する請求項３に記載の地震訓練シミュレーションシステム。
【請求項５】
出力提示される前記供給圧力値が所定範囲外である場合に警報を発する警報手段を備えてなる請求項３または請求項４に記載の地震訓練シミュレーションシステム。
【発明の詳細な説明】
【０００１】
【発明の属する技術分野】
本発明はガスや水道などのユーティリティ供給用の導管ネットワークの複数の部位における地震発生時の供給圧力値の時間的な変化データを地震訓練用に作成する地震訓練シミュレーションシステムに関する。
【０００２】
【従来の技術】
従来から、災害対策として地震や洪水などの災害発生時の被害状況のシミュレーションを行って、その対策を立案することが行われている。特に、大規模地震が発生した場合、地上での建物の倒壊や送電線の切断などの被害に加えて、ユーティリティ供給用のガス管や水道管などが破損するなどの被害が広範囲で発生する。例えば、上述のような被害が発生した後のガス管における供給圧力は、ガス管が破損したことによるガス漏れの発生や、各世帯に設置されたマイコンメータの遮断弁においてガス供給の自動遮断が行われることや、ガス管系統に設けられた整圧器の自動遮断が行われることや、その後、各世帯でマイコンメータの復帰操作が行われた場合には、一時的に減少したガス需要が徐々に増大するなどの様々なパラメータによって時間的に変化する。
【０００３】
従って、ガス管の供給圧力をシミュレーションすることを目的とする従来の地震訓練シミュレーションシステムでは、どの場所で、どれくらいの規模の地震が発生した場合、ユーティリティ供給用の導管ネットワークの所定の部位での供給圧力がどの程度になるのかが時系列順に作成された訓練地震データを用意しておき、その訓練地震データを訓練用端末機器に順次提示して、実際の地震に見立てた訓練地震のシナリオを進行していた。
【０００４】
ここで、ユーティリティ供給用の所定の導管ネットワークに対するユーティリティ供給量とユーティリティ需要量とに着目した場合、通常、需要者のガスなどのユーティリティ需要量は所定の時間変化パターンで前もって決定されており、例えばガス製造所ではその時間変化パターンに基づいてガスの製造を行い、ガス管へ送出している。その結果、ガス管へのガス供給量とガス需要量とが釣り合っているため、ガス管内のガス供給圧力は所定の部位毎にほぼ一定範囲に確保される。しかし、上述のように、地震が発生した場合には、ガス需要量が急激に変化するため、ガス供給量とガス需要量とのバランスが崩れ、ガス管内のガス供給圧力が所定の許容範囲から逸脱する恐れがある。このため、地震訓練においては、ガス管内のガス供給圧力が所定の許容範囲から逸脱しないような対処法を、訓練参加者が習得することができるような地震訓練シミュレーションシステムが求められている。
【０００５】
【発明が解決しようとする課題】
しかしながら、従来の地震訓練シミュレーションでは、上述のような訓練地震データの作成に多大な手間が必要であるため、用意できる訓練地震データ（訓練地震のシナリオ）の数が極めて少なく、実質的に固定されたシナリオで災害訓練が行われているのが現状である。そのため、地震訓練がデモンストレーション的なものとなる可能性があり、その地震訓練シミュレーションシステムは訓練参加者が地震発生時の対処法を習得することができるシステムには不十分であった。
【０００６】
本発明は上記の問題点に鑑みてなされたものであり、その目的は、様々な形態の地震をシミュレーション可能な地震訓練用のシナリオを作成可能な地震訓練シミュレーションシステムを提供する点にある。
【０００７】
【課題を解決するための手段】
上記課題を解決するための本発明に係る地震訓練シミュレーションシステムの第一の特徴構成は、特許請求の範囲の欄の請求項１に記載の如く、ユーティリティ供給用の導管ネットワークを経由して、複数の需要者による全ユーティリティ需要量の時間変化パターンに釣り合った既定のユーティリティ供給量を、ユーティリティ供給所から前記複数の需要者へ提供しているユーティリティ供給系統において、前記ユーティリティ供給系統の複数のシミュレーション対象部位における地震発生時の供給圧力値の時間的な変化データを地震訓練用に作成する地震訓練シミュレーションシステムであって、地震未発生時の、前記複数の需要者による全ユーティリティ需要の第１時間変化パターンが設定された第１需要変化テーブルと、地震の加速度の大きさまたはその相当量毎に、地震発生時の、前記複数の需要者による全ユーティリティ需要の、前記第１時間変化パターンに関して相対的な変化を表す第２時間変化パターンが設定された第２需要変化テーブルとを備え、前記ユーティリティ供給系統における地震の加速度の大きさまたはその相当量と、地震発生時刻と、前記第１時間変化パターン中の所定時刻における全ユーティリティ需要量の値とが入力されると、前記第１需要変化テーブルと前記第２需要変化テーブルと前記所定時刻における全ユーティリティ需要量の値を参照して、前記地震発生時刻以降の前記複数の需要者の全ユーティリティ需要量の第３時間変化パターンが設定された第３需要変化テーブルを導出し、前記第１需要変化テーブルと前記所定時刻における全ユーティリティ需要量の値を参照して、前記地震発生時刻以降に前記ユーティリティ供給所から前記導管ネットワークに提供されるユーティリティ供給量の時間変化パターンが設定された供給量変化テーブルを導出し、前記導管ネットワークの属性情報と、前記第３需要変化テーブルと、前記供給量変化テーブルとを参照して、前記所定のシミュレーション対象部位における供給圧力値の時間的な変化データを有するシミュレーションデータテーブルを作成する点にある。
【０００８】
上記課題を解決するための本発明に係る地震訓練シミュレーションシステムの第二の特徴構成は、特許請求の範囲の欄の請求項２に記載の如く、上記第一の特徴構成に加えて、前記第１需要変化テーブルが、地震未発生時の、前記複数の需要者による全ユーティリティ需要の、季節毎に設定された複数の季節別時間変化パターンが設定された季節別需要変化テーブルを備えてなり、前記ユーティリティ供給系統における地震の加速度の大きさまたはその相当量と、地震発生時刻と、地震発生季節と、前記地震発生季節に対応する前記季節別時間変化パターン中の所定時刻における全ユーティリティ需要量の値とが入力されると、前記季節別需要変化テーブルと前記第２需要変化テーブルと前記季節別時間変化パターン中の所定時刻における全ユーティリティ需要量の値とを参照して、前記第３需要変化テーブルを導出し、前記季節別需要変化テーブルと前記季節別時間変化パターン中の所定時刻における全ユーティリティ需要量の値とを参照して、前記供給量変化テーブルを導出する点にある。
【０００９】
上記課題を解決するための本発明に係る地震訓練シミュレーションシステムの第三の特徴構成は、特許請求の範囲の欄の請求項３に記載の如く、上記第一または第二の特徴構成に加えて、前記シミュレーション対象部位における前記供給圧力値を時系列順に出力可能な出力提示手段を備えてなる点にある。
【００１０】
上記課題を解決するための本発明に係る地震訓練シミュレーションシステムの第四の特徴構成は、特許請求の範囲の欄の請求項４に記載の如く、上記第三の特徴構成に加えて、前記ユーティリティ供給量の変更値が入力されると、前記導管ネットワークの属性情報と、前記第３需要変化テーブルと、前記ユーティリティ供給量の変更値とを参照して、前記シミュレーション対象部位における変更後の供給圧力値を導出し、前記出力提示手段において出力する点にある。
【００１１】
上記課題を解決するための本発明に係る地震訓練シミュレーションシステムの第五の特徴構成は、特許請求の範囲の欄の請求項５に記載の如く、上記第三または第四の特徴構成に加えて、出力提示される前記供給圧力値が所定範囲外である場合に警報を発する警報手段を備えてなる点にある。
【００１２】
以下に作用並びに効果を説明する。
本発明に係る地震訓練シミュレーションシステムの第一の特徴構成によれば、複数の需要者による全ユーティリティ需要量の時間変化パターンに釣り合った既定のユーティリティ供給量を、ユーティリティ供給所から前記複数の需要者へ提供しているユーティリティ供給系統において、地震未発生時の、前記複数の需要者による全ユーティリティ需要の第１時間変化パターンが設定された第１需要変化テーブルと、地震の加速度の大きさまたはその相当量毎に、地震発生時の、前記複数の需要者による全ユーティリティ需要の、前記第１時間変化パターンに関して相対的な変化を表す第２時間変化パターンが設定された第２需要変化テーブルとを備え、前記ユーティリティ供給系統における地震の加速度の大きさまたはその相当量と、地震発生時刻と、前記第１時間変化パターン中の所定時刻における全ユーティリティ需要量の値とが入力されると、前記第１需要変化テーブルと前記第２需要変化テーブルと前記所定時刻における全ユーティリティ需要量の値を参照して、前記地震発生時刻以降の前記複数の需要者の全ユーティリティ需要量の第３時間変化パターンが設定された第３需要変化テーブルを導出し、前記第１需要変化テーブルと前記所定時刻における全ユーティリティ需要量の値を参照して、前記地震発生時刻以降に前記ユーティリティ供給所から前記導管ネットワークに提供されるユーティリティ供給量の時間変化パターンが設定された供給量変化テーブルを導出し、前記導管ネットワークの属性情報と、前記第３需要変化テーブルと、前記供給量変化テーブルとを参照して、前記所定のシミュレーション対象部位における供給圧力値の時間的な変化データを有するシミュレーションデータテーブルを柔軟に、且つ小さい手間で作成することができる。以上のように、本発明に係る地震訓練シミュレーションシステムを用いた場合には、多種多様な地震訓練用シナリオを作成することができるので、より実際の災害状況に近い雰囲気の訓練を実施することができる。
【００１３】
本発明に係る地震訓練シミュレーションシステムの第二の特徴構成によれば、上記第１需要変化テーブルが、地震未発生時の、上記複数の需要者による全ユーティリティ需要の、季節毎に設定された複数の季節別時間変化パターンが設定された季節別需要変化テーブルを備えてなることで、前記ユーティリティ供給系統における地震の加速度の大きさまたはその相当量と、地震発生時刻と、地震発生季節と、前記地震発生季節に対応する前記季節別時間変化パターン中の所定時刻における全ユーティリティ需要量の値とが入力された場合には、前記季節別需要変化テーブルと前記第２需要変化テーブルと前記季節別時間変化パターン中の所定時刻における全ユーティリティ需要量の値とを参照して、前記第３需要変化テーブルを導出し、前記季節別需要変化テーブルと前記季節別時間変化パターン中の所定時刻における全ユーティリティ需要量の値とを参照して、前記供給量変化テーブルを導出することができるので、複数の需要者の季節毎の需要量変化を考慮した詳細なシミュレーションデータテーブルを柔軟に、且つ小さい手間で作成することができる。
【００１４】
本発明に係る地震訓練シミュレーションシステムの第三の特徴構成によれば、上記シミュレーション対象部位における上記供給圧力値を出力提示手段によって時系列順に出力可能であることから、地震によって供給圧力値が時間変化と共に変化するような現実の状況に近い地震訓練を訓練参加者に対して実施することができる。
【００１５】
本発明に係る地震訓練シミュレーションシステムの第四の特徴構成によれば、所定時刻におけるユーティリティ供給量の変更値が入力された場合には、上記導管ネットワークの属性情報と、上記第３需要変化テーブルと、上記ユーティリティ供給量の変更値とを参照して、その時刻における上記シミュレーション対象部位の変更後の供給圧力値を導出し、上記出力提示手段において出力することで、地震訓練シミュレーションシステムを使用する訓練参加者の判断（ユーティリティ供給量の変更値）が適切であったか否かの判定を行うことができる。
【００１６】
本発明に係る地震訓練シミュレーションシステムの第五の特徴構成によれば、出力提示される供給圧力値が所定範囲外である場合に警報が発せられることで、需要と供給とのバランスが取れていないことについて、地震訓練シミュレーションシステムを使用する訓練参加者に対して注意を喚起することができる。
【００１７】
【発明の実施の形態】
特定の地域に災害が発生したと想定して訓練を行う場合、その災害をシミュレーションするためのシナリオが用意される。例えば、地震が発生した場合にガスや水道などのユーティリティ供給用の導管ネットワークの所定部位における供給圧力値がどのような時間変化を示すかというシナリオを用いて災害訓練を実施することができる。以下の実施形態では、ユーティリティ供給用の導管ネットワークとしてガス導管ネットワークを例に挙げて、本発明に係る地震訓練シミュレーションシステムについて説明する。
【００１８】
図１に示すのは、本発明に係る地震訓練シミュレーションシステムにおいて使用される各装置の構成例であり、このシステムは訓練データベースサーバ１と、供給監視端末３（３ａ〜３ｃ）とが通信ネットワーク２を介して接続されて構成されている。訓練データベースサーバ１は、地震訓練のシナリオデータであるガス導管ネットワークの所定部位における供給圧力値の時間的な変化データを、地震訓練用に作成して格納しておく、または作成された供給圧力値の時間的な変化データを他の装置からダウンロードして格納しておく装置である。そして、作成された供給圧力値の時間的な変化データは、有線または無線の通信ネットワーク２を介して供給監視端末３に送信され、供給監視端末３の表示画面（出力提示手段）上でその操作者（訓練参加者）に対して時系列順に提示されることで、地震訓練のシナリオを順次進行することができる。尚、上記供給圧力値の時間的な変化データを訓練データベースサーバ１自身の表示画面（出力提示手段）上でその操作者（訓練参加者）に対して提示することで、地震訓練のシナリオを順次進行することもできる。尚、訓練データベースサーバ１および供給監視端末３は、所定のプログラムを実行可能な通常のサーバコンピュータおよびクライアントコンピュータを使用して実現される。
【００１９】
まず、ガス導管ネットワークの複数のシミュレーション対象部位における供給圧力値の時間的な変化データを地震訓練用に作成する工程について説明する。尚、以下の実施形態では、訓練データベースサーバ１の情報処理機能を使用して地震訓練のシナリオデータを作成する場合について説明する。
【００２０】
図２に例示するのはガス供給系統の模式図であり、ガスは、ガス供給所（またはガス製造所）４から導管ネットワーク５へ提供される。尚、本実施形態においてシミュレーションの対象とするのは、ガス供給所から複数の需要者へ至る導管ネットワークの内の高圧導管ネットワークであり、中圧導管や低圧導管については図示していない。従って、図２に示すガス供給系統は、ガス供給所４と、高圧導管と、その高圧導管で接続された高圧整圧器（ガバナステーション：ＧＳ１〜ＧＳ９）とを備えて構成され、各ＧＳをシミュレーション対象部位として、それぞれの供給圧力値の１次圧と２次圧（中圧以下）とがシミュレーションされる。ガス供給所４は、ガス製造所で製造されたガスをガスホルダに貯蔵し、所定の流量または供給圧力で高圧導管ネットワークへガスを供給する役割を果たしている。或いは、ガス製造所自身がガス供給所であってもよい。
【００２１】
（地震未発生時）
まず、地震未発生時におけるガス需要量およびガス供給量（ガス供給所からのガス送出量）について説明する。
図３に例示するのは、図２に例示したガス供給系統における全需要量の時間変化パターン（第１時間変化パターン）を示すグラフである。この時間変化パターンは、需要者による全需要量の１日２４時間の需要パターンを１時間毎に予測して得られたグラフである。更に、１日のうちの同じ時間帯であっても季節によってガス需要量が変動する（例えば、春季および秋季に比べて、冬季はガス需要量が増加し、夏季はガス需要量が減少する）ことを考慮して、上記第１時間変化パターンを、季節毎に設定された複数の季節別時間変化パターンとしている。尚、図３に示す時間変化パターンのグラフにおいて横軸は時間軸（時刻）であり、縦軸はガス需要量に相当するが、ここでの縦軸の値は冬季のガス需要量の最大値で正規化している。従って、この時間変化パターンを実際のガス需要量に変換するためには、第１時間変化パターン中の所定時刻におけるガス需要量の値が決定される必要がある。しかし、縦軸の値が実際のガス量を示す場合（言い換えると、既に所定時刻におけるガス需要量の値が入力されている場合）には、上述の変換作業は不要である。
【００２２】
図４に示すのは、図３に例示されたガス需要量の時間変化パターン（第１時間変化パターン）に対応する需要変化テーブル（第１需要変化テーブル）である。尚、上述したように、ガス需要量の値は、冬季のガス需要量の最大値を１００として正規化している。
【００２３】
尚、図３および図４では、１日のうちの同じ時間帯であっても季節によってガス需要量が変動することを考慮して季節毎の時間変化パターンを設定したが、他にも月毎の時間変化パターン、週毎の時間変化パターン、日毎の時間変化パターンや、気温、水温、曜日、天候、需要者の生活パターン（正月、盆、夏休み、ゴールデンウィークなどの生活パターン）、大口需要者の需要予定（例えば、工場の運転予定）などが考慮された様々なパターンを用いることもできる。
【００２４】
以上のようにガス需要量の時間変化パターンが設定されたことから、通常時（地震未発生時）にガス供給所からガス導管ネットワークを介して複数の需要者へ提供されるガス供給量を、上述のガス需要量の時間変化パターン（第１時間変化パターン）と釣り合った量に設定することができる。つまり、ガス供給量の時間変化パターンおよび供給量変化テーブルは、図３および図４に示したガス需要の時間変化パターン（第１時間変化パターン）および需要変化テーブル（第１需要変化テーブル）と釣り合った時間変化で表される。
【００２５】
（地震発生時）
次に、地震が発生した場合にガス需要量がどのように変化するのかをシミュレーションする手法について説明する。
まず、地震が発生した場合、地震発生時刻以降のガス需要量は、図３に例示したガス需要の第１時間変化パターンのままの時間変化を示さない。地震が発生した場合には、図５の時間変化パターン（第２時間変化パターン）に例示するように、ガス導管ネットワークの途中や、需要者施設に設置された感震遮断装置が地震の揺れを感知して、ガス供給系統の遮断が行われることで、地震発生時刻以降のガス需要量が減少する変化を示す。図６に示すのは、図５に例示された上記第２時間変化パターンに対応する第２需要変化テーブルであり、地震発生時刻から５分毎の需要変化を例示している。尚、ここでは地震発生時刻から１２０分後までの第２時間変化パターンおよび第２需要変化テーブルを利用する場合にについて例示しているが、地震発生時刻から６０分後や２００分後など他の様々な時刻までの時間変化パターンおよび需要変化テーブルを利用することができる。
【００２６】
図５および図６の第２時間変化パターンおよび第２需要変化テーブルに示すように、地震発生直後は、感震遮断装置が作動してガスを使用することが出来なくなるためにガス需要が急激に減少し、その後、感震遮断を行った感震遮断装置の復帰操作が行われることでガスの使用が可能となって、再びガス需要が増加するというような時間変化パターンが見られる。尚、このようなガス需要の時間変化パターン（第２時間変化パターン）は、地震の揺れの大きさまたはその相当量に応じて様々なパターンで作成されており、ここではパターンＡ〜パターンＣという３つの時間変化パターンを例示している。
【００２７】
（訓練地震の決定）
訓練地震を決定するためには、シミュレーション対象部位における地震の加速度の大きさまたはその相当量と、地震発生時刻と、上記第１時間変化パターン中の所定時刻におけるガス需要量の値とが設定される必要がある。
【００２８】
まず、シミュレーション対象部位の地震の加速度の大きさまたはその相当量の設定するためには、地震の加速度の大きさまたはその相当量（例えば、ＳＩ値）が設定された訓練地震データを読み込む。本実施形態において使用される訓練地震データは、ある地震が発生した場合の各地の地震の加速度の大きさまたはその相当量が設定されたデータである。例えば、震源地に近い地域では地震のＳＩ値が大きく、震源地から離れるにつれて地震のＳＩ値が小さくなるようなＳＩ値の分布を有する地震データである。このような地震データは、地震の大きさ、震源地などを変えて複数個作成されている。
【００２９】
これらの訓練地震データは、訓練データベースサーバ１に既に格納されている場合や、他の記録媒体（ＣＤ−ＲＯＭ、フレキシブルディスクなど）から読み出す場合や、訓練地震データを格納している他の情報処理装置から通信ネットワーク経由で読み出す場合などがある。訓練地震が決定され、所定の地域の地震の加速度の大きさまたはその相当量が決定されることで、上述の第２時間変化パターンが各地域での地震の揺れの大きさに応じて割り当てられる。尚、本実施形態では、図２に例示したような１つのガス供給系統内（ガス供給所、ガス導管ネットワーク、ＧＳ等を備えてなる）での地震の加速度の大きさまたはその相当量が同じであるとして、１つのガス供給系統には１つの第２時間変化パターンおよび第２需要変化テーブルを設定している。
【００３０】
（地震発生時刻以降のガス需要量）
従って、図３に例示したガス需要の第１時間変化パターンと、第１時間変化パターンに関して相対的な変化を表す第２時間変化パターンと、上記第１時間変化パターン中の所定時刻におけるガス需要量の値とを参照して、地震発生時刻以降のガス需要量の第３時間変化パターンが導出される。図７に例示するのは、図３に示した冬季の第１時間変化パターンと、図５に示したパターンＣと、冬季の第１時間変化パターン中の２１時（２１：００）におけるガス需要量の値（１７００ｋｍ３／ｈ）とを参照して得られた地震発生時刻（１２：００）以降の２時間のガス需要量を５分毎に設定した第３時間変化パターンである。
【００３１】
図８に示す第３需要変化テーブルでは、地震発生時刻（１２：００）以降での第１需要変化テーブルの値と、第２需要変化テーブルの値と、第１時間変化パターン中の所定時刻におけるガス需要量の値との積が５分毎の値として導出されている。尚、第１時間変化パターンを設定する第１需要変化テーブルは１時間毎のデータしか保持していないため、１２：００〜１２：５５の間は同じ値（６６％）を５分毎に適用し、１３：００〜１３：５５の間は同じ値（６４．５％）を５分毎に適用している。しかしながら、第１需要変化テーブルが第２需要変化テーブルと同じ５分毎のデータを保持している場合には、５分毎のデータのそれぞれを対応付ければよい。更に、１時間毎のデータしか保持していない場合であっても、１２：００での値（６６％）と１３：００での値（６４．５％）と１４：００での値（６４．８％）に関してデータ補間処理を行うことで、その間の５分毎のデータを随時導出し、対応付けることも可能である。
【００３２】
或いは、地震発生時刻（１２：００）以降の２時間の第３需要変化テーブルを導出する場合であっても、上述したような１３：００での第１需要変化テーブルの値（６４．５％）を参照せずに、第１需要変化テーブルの内の地震発生時刻（１２：００）での値（６６％）のみと、その値に対して時間的に相対的な変化を示す第２需要変化テーブルの５分毎の値との積を参照して、地震発生時刻以降の２時間のガス需要量の第３時間変化パターンを導出してもよい。特に、本実施形態では第１需要変化テーブルの１２：００での値（６６％）と１３：００での値（６４．５％）との差が大きくないため、導出される第３需要変化テーブルの値が図８に示した上述の場合と大きく異なることもない。また、改変例として、第１需要変化テーブルの１２：００での値（６６％）と１３：００での値（６４．５％）との平均値（６５．３％）を導出し、その平均値と第２需要変化テーブルの５分毎の値との積を参照して、地震発生時刻以降の２時間のガス需要量の第３時間変化パターンを導出することもできる。
【００３３】
（地震発生時刻以降のガス供給量）
また、地震発生時刻以降のガス供給量は、図３に例示したガス需要量の第１時間変化パターン（地震未発生時）と同じ時間変化を示す。従って、第１時間変化パターンと、第１時間変化パターン中の所定時刻におけるガス需要量の値とを参照することでユーティリティ供給量の時間変化パターン（供給量変化パターン）が設定された供給量変化テーブルが導出される。図７および図８には、第３時間変化パターンおよび第３需要変化テーブルと併せて、ユーティリティ供給量の時間変化パターン（供給量変化パターン）および供給量変化テーブルを表示している。以上の結果、地震発生時刻から所定時間後までの、ガス需要量の時間変化とガス供給量の時間変化とが５分毎に設定された地震訓練のシナリオデータが作成される。
【００３４】
（シナリオデータに基づく地震訓練の実施）
上述のように作成され、訓練データベースサーバ１に格納された地震訓練のシナリオデータを用いて地震訓練を行う方法について以下に説明する。
図１に例示したように、本発明に係る地震訓練シミュレーションシステムは、上述のシナリオデータが格納され、地震訓練の進行を管理する訓練データベースサーバ１と、訓練参加者が使用し、上述のシナリオデータが時系列順に展開される供給監視端末３とを備えてなる。
【００３５】
尚、訓練データベースサーバ１から通信ネットワーク２を介して供給監視端末３に送信されてくるシナリオデータは、ある時刻におけるガス供給量とガス需要量である。従って、ガス導管ネットワーク中の所定の部位における供給圧力の値は、ガス供給量とガス需要量とガス導管ネットワークの属性情報（導管の口径、導管の経路・分岐、導管の延長距離、導管の標高など）を用いて導出することができる。
【００３６】
（圧力解析）
従って、供給監視端末３においては、訓練データベースサーバ１からシナリオデータ（ある時刻におけるガス供給量とガス需要量）が送られてくる度に、ガス導管ネットワーク中の所定部位における供給圧力値を導出し、その表示画面上に提示することが行われる。その導出方法は通常行われている圧力計算（ネット計算）方法を使用することができる。訓練データベースサーバ１からシナリオデータが送られてくるタイミングは、実際の時間タイミング（ここでは、５分毎）である場合、実際よりも短いタイミング（例えば、２分毎）である場合、または、供給監視端末３から送信要求があった場合などの様々な形態に改変することができる。
【００３７】
図９に例示するのは、上述の圧力解析の結果として得られたガス導管ネットワーク中のシミュレーション対象部位（高圧ガバナステーション：ＧＳ）の１次圧力および２次圧力の値をガス供給系統の模式図中に出力提示した画面例である。圧力解析の結果として得られ、表示画面上に出力提示されるシミュレーション対象部位の供給圧力値は、訓練データベースサーバ１からシナリオデータ（ある時刻におけるガス供給量とガス需要量）が送られ、圧力解析が行われる度に更新される。従って、供給監視端末３を操作する訓練参加者は、地震発生以降の各高圧ガバナでのガス供給圧力値の提示を受けることで、実際の地震発生時と同様の状況を体験することができる。
【００３８】
そして、供給圧力値が所定の範囲外であるシミュレーション対象部位がある場合には、異常が発生している旨の警報が発せられる。例えば、正常なガス供給を継続的に行うために各ＧＳにおける供給圧力値の上限値と下限値とが設定されている場合、その上下限範囲内に供給圧力値がないＧＳの存在を、供給監視端末３を操作する訓練参加者に対して知らせるような警報が発せられる。ここで、各ＧＳにおける供給圧力値はガス導管ネットワークの属性情報として個別に設定された値であり、各ＧＳにおける供給圧力値の上下限範囲が全て同じであるとは限らない。
【００３９】
警報表示の例として図９の表示画面上では、ＧＳ９（１次圧の上限圧力値＝６．５ＭＰａ）での場合のようにシミュレーション対象部位の反転表示が行われているが、他の表示方法であっても構わない。例えば、表示画面上に警報表示欄を設け、そこにシミュレーション対象部位の名称を記載するなどの方法もある。このような警報表示を行うことで、供給監視端末３を使用する訓練参加者は、異常発生への対処が求められる。
【００４０】
（供給量変更と再計算）
シミュレーション対象部位の供給圧力値が異常である原因としては、ガス供給量が多すぎる場合と少なすぎる場合とが考えられる。従って、本実施形態では、訓練参加者が供給圧力の異常発生を解決するべく、供給監視端末３を使用してガス供給量を変更する。その変更操作画面を図１０に例示する。ここでは、ガス供給量の変更値を入力後、「実行」ボタンを選択入力することでガス供給量の変更が行われる。
【００４１】
訓練参加者によるガス供給量の変更値の入力後、そのガス供給量と、先に訓練データベースサーバ１から送信されたガス需要量と、ガス導管ネットワークの属性情報とを参照して、再度、シミュレーション対象部位の供給圧力値の圧力計算が行われ、その結果が図９に例示したような表示画面上に出力提示される。その結果、供給圧力値が上述のような上限値と下限値とで規定される許容範囲内にあれば警報は解除され、許容範囲外であれば警報は継続される。
【００４２】
尚、訓練参加者によって変更されたガス供給量の値は、次に訓練データベースサーバ１から送信されるデータには影響しない。従って、その後、訓練データベースサーバ１から、引き続く時刻でのガス供給量とガス需要量とが供給監視端末３に送信され、供給監視端末３においてシミュレーション対象部位の圧力計算が行われた後で、それらの値が表示画面上に出力提示される。そして、上述した場合と同様に、供給圧力値が許容範囲外である場合には警報が発せられる。
【図面の簡単な説明】
【図１】地震訓練シミュレーションシステムの構成図である。
【図２】ガス供給系統の模式図である。
【図３】第１時間変化パターンの例である。
【図４】第１需要変化テーブルの例である。
【図５】第２時間変化パターンの例である。
【図６】第２需要変化テーブルの例である。
【図７】第３時間変化パターンの例である。
【図８】第３需要変化テーブルの例である。
【図９】ガス供給系統の模式図である。
【図１０】供給圧力変更画面の例である。
【符号の説明】
１　訓練データベースサーバ
２　通信ネットワーク
３　供給監視端末
４　ガス供給所
５　導管ネットワーク
【図１】
2004012988.tif 000003
【図２】
2004012988.tif 000004
【図３】
2004012988.tif 000005
【図４】
2004012988.tif 000006
【図５】
2004012988.tif 000007
【図６】
2004012988.tif 000008
【図７】
2004012988.tif 000009
【図８】
2004012988.tif 000010
【図９】
2004012988.tif 000011
【図１０】
2004012988.tif 000012